【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】  楽曲を形成する各音の音高及び消音タイミングを少なくとも含む曲データを記憶する曲データ記憶手段と、
楽曲進行に同期して前記曲データ記憶手段から読み出される曲データによって指定される音高の鍵が、当該曲データの消音タイミングより早い時期に離鍵操作された場合には、その消音タイミングに達する迄、離鍵操作される以前とは異なる態様で発音を継続させて誤った離鍵操作である旨を報知する第１の報知手段と、
楽曲進行に同期して前記曲データ記憶手段から読み出される曲データによって指定される音高の鍵が、当該曲データの消音タイミングより遅い時期に離鍵操作された場合には、その消音タイミングから離鍵操作されるまでの間、消音タイミング以前とは異なる態様で発音を継続させて誤った離鍵操作である旨を報知する第２の報知手段と
を具備することを特徴とする演奏教習装置。
【請求項２】  楽曲を形成する各音の音高及び消音タイミングを少なくとも含む曲データを記憶する曲データ記憶手段と、
楽曲進行に同期して前記曲データ記憶手段から読み出される曲データによって指定される音高の鍵が、当該曲データの消音タイミングより早い時期に離鍵操作された場合には、その消音タイミングに達する迄、それまで発音していた音色とは異なる音色で発音を継続させて誤った離鍵操作である旨を報知する第１の報知手段と、
楽曲進行に同期して前記曲データ記憶手段から読み出される曲データによって指定される音高の鍵が、当該曲データの消音タイミングより遅い時期に離鍵操作された場合には、その消音タイミング以後、離鍵操作されるまでの間、音量が増大する警告音を発して誤った離鍵操作である旨を報知する第２の報知手段と
を具備することを特徴とする演奏教習装置。
【請求項３】  楽曲を形成する各音の音高及び消音タイミングを少なくとも含む曲データを記憶する曲データ記憶手段と、
楽曲進行に同期して前記曲データ記憶手段から読み出される曲データによって指定される音高の鍵が、当該曲データの消音タイミングより早い時期に離鍵操作された場合には、その消音タイミングに達する迄、所定の効果を付与した発音を継続させて誤った離鍵操作である旨を報知する第１の報知手段と、
楽曲進行に同期して前記曲データ記憶手段から読み出される曲データによって指定される音高の鍵が、当該曲データの消音タイミングより遅い時期に離鍵操作された場合には、その消音タイミングから離鍵操作されるまでの間、所定の効果を付与した発音を継続させて誤った離鍵操作である旨を報知する第２の報知手段と
を具備することを特徴とする演奏教習装置。
【請求項４】  楽曲進行に同期して曲データ記憶手段から読み出される楽曲を形成する各音の音高及び消音タイミングを少なくとも含む曲データによって指定される音高の鍵が、当該曲データの消音タイミングより早い時期に離鍵操作された場合には、その消音タイミングに達する迄、離鍵操作される以前とは異なる態様で発音を継続させて誤った離鍵操作である旨を報知する第１の報知過程と、
楽曲進行に同期して前記曲データ記憶手段から読み出される曲データによって指定される音高の鍵が、当該曲データの消音タイミングより遅い時期に離鍵操作された場合には、その消音タイミングから離鍵操作されるまでの間、消音タイミング以前とは異なる態様で発音を継続させて誤った離鍵操作である旨を報知する第２の報知過程と
を具備することを特徴とする演奏教習方法。
【請求項５】  楽曲進行に同期して曲データ記憶手段から読み出される楽曲を形成する各音の音高及び消音タイミングを少なくとも含む曲データによって指定される音高の鍵が、当該曲データの消音タイミングより早い時期に離鍵操作された場合には、その消音タイミングに達する迄、それまで発音していた音色とは異なる音色で発音を継続させて誤った離鍵操作である旨を報知する第１の報知過程と、
楽曲進行に同期して前記曲データ記憶手段から読み出される曲データによって指定される音高の鍵が、当該曲データの消音タイミングより遅い時期に離鍵操作された場合には、その消音タイミング以後、離鍵操作されるまでの間、音量が増大する警告音を発して誤った離鍵操作である旨を報知する第２の報知過程と
を具備することを特徴とする演奏教習方法。
【請求項６】  楽曲進行に同期して曲データ記憶手段から読み出される楽曲を形成する各音の音高及び消音タイミングを少なくとも含む曲データによって指定される音高の鍵が、当該曲データの消音タイミングより早い時期に離鍵操作された場合には、その消音タイミングに達する迄、所定の効果を付与した発音を継続させて誤った離鍵操作である旨を報知する第１の報知過程と、
楽曲進行に同期して前記曲データ記憶手段から読み出される曲データによって指定される音高の鍵が、当該曲データの消音タイミングより遅い時期に離鍵操作された場合には、その消音タイミングから離鍵操作されるまでの間、所定の効果を付与した発音を継続させて誤った離鍵操作である旨を報知する第２の報知過程と
を具備することを特徴とする演奏教習方法。
【手続補正２】
【補正対象書類名】明細書
【補正対象項目名】０００４
【補正方法】変更
【補正の内容】
【０００４】
【課題を解決するための手段】
上記目的を達成するため、請求項１に記載の発明では、楽曲を形成する各音の音高及び消音タイミングを少なくとも含む曲データを記憶する曲データ記憶手段と、楽曲進行に同期して前記曲データ記憶手段から読み出される曲データによって指定される音高の鍵が、当該曲データの消音タイミングより早い時期に離鍵操作された場合には、その消音タイミングに達する迄、離鍵操作される以前とは異なる態様で発音を継続させて誤った離鍵操作である旨を報知する第１の報知手段と、楽曲進行に同期して前記曲データ記憶手段から読み出される曲データによって指定される音高の鍵が、当該曲データの消音タイミングより遅い時期に離鍵操作された場合には、その消音タイミングから離鍵操作されるまでの間、消音タイミング以前とは異なる態様で発音を継続させて誤った離鍵操作である旨を報知する第２の報知手段とを具備することを特徴とする。
【手続補正３】
【補正対象書類名】明細書
【補正対象項目名】０００５
【補正方法】変更
【補正の内容】
【０００５】
請求項２に記載の発明では、楽曲を形成する各音の音高及び消音タイミングを少なくとも含む曲データを記憶する曲データ記憶手段と、楽曲進行に同期して前記曲データ記憶手段から読み出される曲データによって指定される音高の鍵が、当該曲データの消音タイミングより早い時期に離鍵操作された場合には、その消音タイミングに達する迄、それまで発音していた音色とは異なる音色で発音を継続させて誤った離鍵操作である旨を報知する第１の報知手段と、楽曲進行に同期して前記曲データ記憶手段から読み出される曲データによって指定される音高の鍵が、当該曲データの消音タイミングより遅い時期に離鍵操作された場合には、その消音タイミング以後、離鍵操作されるまでの間、音量が増大する警告音を発して誤った離鍵操作である旨を報知する第２の報知手段と
を具備することを特徴とする。
【手続補正４】
【補正対象書類名】明細書
【補正対象項目名】０００６
【補正方法】変更
【補正の内容】
【０００６】
請求項３に記載の発明では、楽曲を形成する各音の音高及び消音タイミングを少なくとも含む曲データを記憶する曲データ記憶手段と、楽曲進行に同期して前記曲データ記憶手段から読み出される曲データによって指定される音高の鍵が、当該曲データの消音タイミングより早い時期に離鍵操作された場合には、その消音タイミングに達する迄、所定の効果を付与した発音を継続させて誤った離鍵操作である旨を報知する第１の報知手段と、楽曲進行に同期して前記曲データ記憶手段から読み出される曲データによって指定される音高の鍵が、当該曲データの消音タイミングより遅い時期に離鍵操作された場合には、その消音タイミングから離鍵操作されるまでの間、所定の効果を付与した発音を継続させて誤った離鍵操作である旨を報知する第２の報知手段とを具備することを特徴とする。
【手続補正５】
【補正対象書類名】明細書
【補正対象項目名】０００７
【補正方法】変更
【補正の内容】
【０００７】
請求項４に記載の発明では、楽曲進行に同期して曲データ記憶手段から読み出される楽曲を形成する各音の音高及び消音タイミングを少なくとも含む曲データによって指定される音高の鍵が、当該曲データの消音タイミングより早い時期に離鍵操作された場合には、その消音タイミングに達する迄、離鍵操作される以前とは異なる態様で発音を継続させて誤った離鍵操作である旨を報知する第１の報知過程と、楽曲進行に同期して前記曲データ記憶手段から読み出される曲データによって指定される音高の鍵が、当該曲データの消音タイミングより遅い時期に離鍵操作された場合には、その消音タイミングから離鍵操作されるまでの間、消音タイミング以前とは異なる態様で発音を継続させて誤った離鍵操作である旨を報知する第２の報知過程とを具備することを特徴とする。
【手続補正６】
【補正対象書類名】明細書
【補正対象項目名】０００８
【補正方法】変更
【補正の内容】
【０００８】
請求項５に記載の発明では、楽曲進行に同期して曲データ記憶手段から読み出される楽曲を形成する各音の音高及び消音タイミングを少なくとも含む曲データによって指定される音高の鍵が、当該曲データの消音タイミングより早い時期に離鍵操作された場合には、その消音タイミングに達する迄、それまで発音していた音色とは異なる音色で発音を継続させて誤った離鍵操作である旨を報知する第１の報知過程と、楽曲進行に同期して前記曲データ記憶手段から読み出される曲データによって指定される音高の鍵が、当該曲データの消音タイミングより遅い時期に離鍵操作された場合には、その消音タイミング以後、離鍵操作されるまでの間、音量が増大する警告音を発して誤った離鍵操作である旨を報知する第２の報知過程とを具備することを特徴とする。
【手続補正７】
【補正対象書類名】明細書
【補正対象項目名】０００９
【補正方法】変更
【補正の内容】
【０００９】
請求項６に記載の発明では、楽曲進行に同期して曲データ記憶手段から読み出される楽曲を形成する各音の音高及び消音タイミングを少なくとも含む曲データによって指定される音高の鍵が、当該曲データの消音タイミングより早い時期に離鍵操作された場合には、その消音タイミングに達する迄、所定の効果を付与した発音を継続させて誤った離鍵操作である旨を報知する第１の報知過程と、楽曲進行に同期して前記曲データ記憶手段から読み出される曲データによって指定される音高の鍵が、当該曲データの消音タイミングより遅い時期に離鍵操作された場合には、その消音タイミングから離鍵操作されるまでの間、所定の効果を付与した発音を継続させて誤った離鍵操作である旨を報知する第２の報知過程とを具備することを特徴とする。
【手続補正８】
【補正対象書類名】明細書
【補正対象項目名】００１０
【補正方法】変更
【補正の内容】
【００１０】
本発明では、曲データによって指定される音高の鍵が当該曲データの消音タイミングより早い時期に離鍵操作された場合には、その消音タイミングに達する迄、離鍵操作される以前とは異なる態様で発音を継続させて誤った離鍵操作である旨を報知し、曲データによって指定される音高の鍵が当該曲データの消音タイミングより遅い時期に離鍵操作された場合には、その消音タイミングから離鍵操作されるまでの間、消音タイミング以前とは異なる態様で発音を継続させて誤った離鍵操作である旨を報知するので、聴覚的に押鍵速度や離鍵操作するタイミングを案内して演奏操作を教習させることが可能になっている。